(57)【要約】    【課題】昔ながらのハトメを利用しつつ、このハトメ穴を開閉可能とする。    【解決手段】中央にハトメ穴（１５）を有するハトメ（１０）と、そのハトメ穴を弾力的に閉塞する閉塞具（３）からなる。前記閉塞具（３）は前記ハトメ穴（１５）の直径よりも大きな直径を有する頭部（２０，２０Ａ，２０Ｂ，２０Ｃ）と、前記ハトメ穴の直径とほぼ同じ直径を有する脚部（２１，２１Ａ，２１Ｂ，２１Ｃ）からなる。閉塞具（３Ａ）の脚部（２１Ａ）は、先端部の直径が頭部根元よりもやや大きいものとしてもよい。閉塞具（３Ｂ，３Ｃ）の脚部（２１Ｂ，２１Ｃ）の中央又は先端にリング状の突起（２３，２４）を設けてもよい。【選択図】図２
2006081678.tif 000002
【特許請求の範囲】
【請求項１】
中央にハトメ穴（１５）を有するハトメ（１０）と、そのハトメ穴（１５）を弾力的に閉塞する閉塞具（３，３Ａ，３Ｂ，３Ｃ）からなり、
前記閉塞具（３，３Ａ，３Ｂ，３Ｃ）は前記ハトメ穴（１５）の直径よりも大きな直径を有する頭部（２０，２０Ａ，２０Ｂ，２０Ｃ）と、前記ハトメ穴（１５）の直径とほぼ同じ直径を有する脚部（２１，２１Ａ，２１Ｂ，２１Ｃ）からなることを特徴とするハトメ。
【請求項２】
中央にハトメ穴（１５）を有するハトメ（１０）と共に使用し、そのハトメ穴（１５）を弾力的に閉塞するものであって、
前記ハトメ穴（１５）の直径よりも大きな直径を有する頭部（２０，２０Ａ，２０Ｂ，２０Ｃ）と、前記ハトメ穴（１５）の直径とほぼ同じ直径を有する脚部（２１，２１Ａ，２１Ｂ，２１Ｃ）からなることを特徴とする閉塞具。
【請求項３】
閉塞具（３Ａ）の脚部（２１Ａ）は、先端部の直径が頭部根元よりもやや大きいものである請求項２記載の閉塞具。
【請求項４】
閉塞具（３Ｂ）の脚部（２１Ｂ）の中央にリング状の突起（２３）が設けられている請求項２記載の閉塞具。
【請求項５】
閉塞具（３Ｃ）の脚部（２１Ｃ）の先端にリング状の突起（２４）が設けられている請求項２記載の閉塞具。
【発明の詳細な説明】
【技術分野】
【０００１】
本発明は開閉可能なハトメ及びこれに使用する閉塞具に関する。
【背景技術】
【０００２】
ハトメは、靴・衣服・紙ばさみなどの、紐を通す丸い穴の周囲を補強する環状の金具である。ハトメは、衣服では紐を通すためだけでなく、通気を確保するためにも設けられる。下記特許文献１は、「ハトメ」とは言い難いが、衣服に衣服用通気具が設けている。
【特許文献１】特開平９−３１７２８号公報
【発明の開示】
【発明が解決しようとする課題】
【０００３】
衣服に単に通気用の穴を設けるだけでは、雨天や厳寒の季節には雨や寒気がそこから衣服内に進入するので、適当でないことは明らかである。前記特許文献１の衣服用通気具では、通気孔が開閉可能であることを特徴とする。そのために、この通気具は、回転体を内蔵させるなど比較的に複雑な構造を有する。大きさも直径数センチにはなり、もはや通常のハトメとは言い難い。製造コストも高価なものとならざるを得ない。
【０００４】
本発明は、特許文献１と異なり、昔ながらのハトメを利用しつつ、このハトメ穴を開閉可能とすることを目的とする。
【課題を解決するための手段】
【０００５】
本発明のハトメは、中央にハトメ穴を有するハトメと、そのハトメ穴を弾力的に閉塞する閉塞具からなり、前記閉塞具は前記ハトメ穴の直径よりも大きな直径を有する頭部と、前記ハトメ穴の直径とほぼ同じ直径を有する脚部からなることを特徴とする。
【０００６】
本発明の閉塞具は、中央にハトメ穴を有するハトメと共に使用し、そのハトメ穴を弾力的に閉塞するものであって、前記ハトメ穴の直径よりも大きな直径を有する頭部と、前記ハトメ穴の直径とほぼ同じ直径を有する脚部からなることを特徴とする。
【発明の効果】
【０００７】
本発明では、ハトメ穴閉塞具の脚部を単にハトメ穴に押し込むだけで、ハトメ穴はふさがれる。ハトメ穴を開放したいと思ったときは閉塞具の頭部をつかんで引き抜くだけでよい。したがって、季節や天候に応じてハトメ穴の開閉を容易に行うことができる。
【０００８】
また、閉塞具は簡単な構造なので、安価に大量に製造することができる。さらに、閉塞具に着色したり、商標を刻印・印字したりすることにより、衣服の意匠性を高めることができる。
【発明を実施するための最良の形態】
【０００９】
ハトメ穴の閉塞具は単にハトメ穴に押し込んで止めているだけである。通常はそれで十分であるが、より強固な連結が望ましいときには、閉塞具の脚部に、次のような変形例を用いることができる。
（ａ）脚部の先端部の直径が頭部根元よりもやや大きいもの。
（ｂ）脚部の中央にリング状の突起が設けられているもの。
（ｃ）脚部の先端にリング状の突起が設けられているもの。
閉塞具は、通常は合成樹脂により製造するが、目的に適うものであればそれ以外の材料でもよい。
【実施例１】
【００１０】
以下、添付の図面に基づき、本発明の実施例を説明する。
【００１１】
図１の下側図は従来のハトメ１０である。図１の上側図は本発明の実施例に係る閉塞具３でハトメ穴１５をふさいだ状態の斜視図である。
【００１２】
図２，３はハトメ１０と閉塞具３の断面図であり、図２は連結前、図３は連結後をあらわす。本発明で使用するハトメ１０は、従来技術と同様であり、座体１と本体２とからなる。
【００１３】
座体１は、本体２の管状部１２を受け入れるに充分な径の開口を形成する環状内縁部４と、生地Ｆに食い込む環状突縁部５と、補強用の環状隆起部７と、生地を本体２の環状平縁部１３との間で押える環状平周縁８とからなる。
【００１４】
本体２は、かしめられる先端縁１１を有する管状部１２と、管状部１２の基部に設けられた補強用の環状隆起部１４と、その外周に連接する生地を挟むための環状平縁部１３とを有する。先端縁１１は刃物状の先端にして生地に対する切断効果を有するものにしてもよい。
【００１５】
閉塞具３は、ハトメ穴１５の直径よりも大きな直径を有する頭部２０と、前記ハトメ穴１５の直径とほぼ同じ直径を有する脚部２１とからなり、合成樹脂製である。閉塞具に着色したり、商標を刻印・印字したりすることにより、衣服の意匠性を高めることができる。
【００１６】
ハトメと閉塞具３を組み合わせるには、図３に示すように、指で閉塞具の頭部２０を押し、脚部２１を単にハトメ穴１５に押し込むだけである。したがって、閉塞具の脚部直径はハトメ穴の直径とほぼ同じである。実際は、前者の方が後者よりわずかに大きくて、圧入によりしっかり固定される方が好ましい。
【００１７】
ハトメから閉塞具を除去するには、指度閉塞具の頭部をつかみ、引き抜くだけでよい。
【実施例２】
【００１８】
図４は、閉塞具の他の実施例の断面図である。（ａ）では、閉塞具３Ａの脚部２１Ａの直径は先端部が頭部根元よりもやや大きい。（ｂ）では、脚部２１Ｂの中央にリング状の突起２３が設けられている。（ｃ）では、脚部２１Ｃの先端にリング状の突起２４が設けられている。使用法は実施例１と同じである。
【００１９】
これらの実施例では、ハトメとハトメ穴閉塞具の連結が実施例１よりも強固である。
【図面の簡単な説明】
【００２０】
【図１】下側図は従来のハトメであり、上側図は本発明の実施例に係る閉塞具でハトメ穴をふさいだ状態の斜視図である。
【図２】ハトメ１０と閉塞具３の断面図であり、連結前をあらわす。
【図３】ハトメ１０と閉塞具３の断面図であり連結後をあらわす。
【図４】閉塞具の他の実施例の断面図である。
【符号の説明】
【００２１】
１     座体
２     本体
３，３Ａ，３Ｂ，３Ｃ 閉塞具
１０   ハトメ
１５   ハトメ穴
２０，２０Ａ，２０Ｂ，２０Ｃ       頭部
２１，２１Ａ，２１Ｂ，２１Ｃ              脚部
【図１】
2006081678.tif 000003
【図２】
2006081678.tif 000004
【図３】
2006081678.tif 000005
【図４】
2006081678.tif 000006